(57)【要約】【課題】閉じられるときには蓋体の移動を抑えることができ、簡単な操作により蓋体を開成して支持することが可能な蓋体の支持機構を提供する。【解決手段】蓋体１１が開成される直前には、ピニオンギア３５がラックギア２８の各歯間に形成された肉盛り部２８ａを乗り越える。このとき、ラックギア２８の肉盛り部２８ａによりピニオンギア３５が押し上げられて上方に移動し、ピニオンギア３５が回転規制ギア３８に接近して歯合し、ピニオンギア３５の回転を伴う支柱２２の上下移動が抑えられる。このため、蓋体１１から手を離しても、支柱２２が下方に移動せず、蓋体１１の開成状態が保持される。蓋体１１が操作者により押し下げられているときにも、ピニオンギア３５がラックガイド２３のラックギア２８に歯合し、支柱２２の上下移動が抑えられるため、任意の開放角度で蓋体１１の開かれた状態を維持することができる。【選択図】図９
2004053667.tif 000002
【特許請求の範囲】
【請求項１】
一端を枢支された蓋体が閉じられるときに該蓋体の移動を緩和させる蓋体の支持機構において、
蓋体に対して枢支され、蓋体の開閉に伴って移動する支柱部材と、
支柱部材先端に移動可能に設けられ、回転自在に軸支された回転体と、
支柱部材先端に設けられ、蓋体が閉じられるときの支柱部材の移動方向と反対方向に移動した回転体に接触して該回転体の回転を規制する規制部材と、
支柱部材の移動に際し、該支柱部材先端を案内する案内軌道と、
案内軌道に沿って設けられ、支柱部材の移動に際し、該支柱部材先端の回転体に接して、該回転体を回転させる回転体用軌道と、
蓋体が開成されたときに支柱部材先端の回転体を移動させて規制部材に接触させる回転体移動手段と
を備えることを特徴とする蓋体の支持機構。
【請求項２】
蓋体の開成直前に支柱部材先端を案内する案内軌道の部分が屈曲していることを特徴とする請求項１に記載の蓋体の支持機構。
【請求項３】
回転体移動手段は、蓋体の開成時に回転体が接する回転体用軌道の部分を厚くしてなることを特徴とする請求項１に記載の蓋体の支持機構。
【請求項４】
回転体及び回転体用軌道は、相互に歯合するピニオンギア及びラックギアであることを特徴とする請求項１に記載の蓋体の支持機構。
【発明の詳細な説明】
【０００１】
【発明の属する技術分野】
本発明は、一端を枢支された蓋体が閉じられるときに該蓋体の移動を緩和させる蓋体の支持機構に関する。
【０００２】
【従来の技術】
例えばプリンタ装置、ファクシミリ装置、複写機等の画像形成装置では、消耗部品の交換、紙詰まりの解消、メンテナンス等に際し、本体筐体の開口部の蓋体を開閉する必要がある。この蓋体としては、本体筐体の背面側に枢支されて、開かれたときに本体筐体の上面開口部を開放するという所謂クラムシェルタイプのものがある。
【０００３】
図１３（ａ）は、クラムシェルタイプの蓋体を適用したインクジェット複写装置を概略的に示している。この複写装置では、スキャナーユニットを蓋体１０１に一体化し、蓋体１０１を本体筐体１０２の背面側の枢支軸１０３により開閉自在に枢支している。図１３（ｂ）に示す様に蓋体１０１を持ち上げて開き、例えば図１３（ｃ）に示す様にインクカートリッジ１０４を交換し、図１３（ｄ）に示す様に蓋体１０１を閉じる。
【０００４】
ところが、スキャナーユニット等を蓋体に一体化すると、蓋体が重くなる。この場合は、蓋体を開くときに重い蓋体を持ち上げねばならず、また蓋体を開いた状態で蓋体を強固に支持せねばならず、更に蓋体を閉じるときに重い蓋体を保持しつつ緩やかに下げねばならない。仮に、蓋体から手を離したとすると、蓋体がその自重により勢いよく落下する。その際には、蓋体と本体筐体の間に指を挟んだり、衝撃によりスキャナーユニット等を破損することがあり、また蓋体の操作性の品位が損なわれる。
【０００５】
このため、例えば図１４に示す様に蓋体１０１と本体筐体１０２間にダンパー１０５を設け、ダンパー１０５により蓋体１０１を上方向に付勢して、蓋体１０１の自重を相殺したり、蓋体１０１の開閉動作を緩和させていた。あるいは、線形特性を有するトーションバーや捩ったコイルバネの弾勢力により蓋体を上方に付勢して、蓋体の自重を相殺していた。
【０００６】
ただし、蓋体に対する付勢力が大き過ぎると、蓋体を開くときに蓋体が加速されて操作者に叩きつけられたり、蓋体を押し下げて閉じるときに大きな力が必要となる。逆に、蓋体に対する付勢力が小さ過ぎると、蓋体を開くときに大きな力が必要になったり、開かれた蓋体を支持し切れず、蓋体が些細なきっかけで落下してしまい、危険が利用者に及ぶ。
【０００７】
従って、ダンパー、トーションバー、コイルバネ等を利用するならば、その付勢力の調整が微妙である。また、この調整された付勢力を長期に亙って維持し続けることが困難であり、操作性及び安全性が損なわれる可能性がある。
【０００８】
一方、特開２００１−２６４９００号公報には、蓋体が閉じられときに該蓋体の移動に抵抗を与えて、蓋体の移動を緩和させるという技術が開示されている。より具体的には、蓋体を支え、蓋体の開閉に伴って上下方向に移動する支柱を設け、蓋体が閉じられるときの支柱の下方向の移動に抵抗を与えて、蓋体の移動を緩和させ、蓋体が勢いよく落下することを防止している。逆に、蓋体が開かれるときには、支柱の上方向の移動に抵抗を与えず、蓋体の移動を容易にしている。更に、蓋体を開成したときには、支柱をロックして、蓋体を強固に支持している。
【０００９】
この公報の技術では、支柱に与えられる抵抗力の調整が容易であり、この抵抗力が僅かに変化したとしても、その作用効果が損なわれずに済む。
【００１０】
【発明が解決しようとする課題】
しかしながら、上記公報の技術では、蓋体を開成して、支柱をロックする際に、蓋体を上限まで持ち上げてから、支柱を奥の方に押すという２操作が必要であり、また支柱のロックを解除する際にも、蓋体を上限まで持ち上げてから、支柱を奥の方に押すという２操作が必要となるので、その操作が複雑であった。
【００１１】
そこで、本発明は、上記従来の問題点に鑑みてなされたものであり、閉じられるときには蓋体の移動を抑えることができ、また簡単な操作により蓋体を開成して支持することが可能な蓋体の支持機構を提供することを目的とする。
【００１２】
【課題を解決するための手段】
上記課題を解決するために、本発明は、一端を枢支された蓋体が閉じられるときに該蓋体の移動を緩和させる蓋体の支持機構において、蓋体に対して枢支され、蓋体の開閉に伴って移動する支柱部材と、支柱部材先端に移動可能に設けられ、回転自在に軸支された回転体と、支柱部材先端に設けられ、蓋体が閉じられるときの支柱部材の移動方向と反対方向に移動した回転体に接触して該回転体の回転を規制する規制部材と、支柱部材の移動に際し、該支柱部材先端を案内する案内軌道と、案内軌道に沿って設けられ、支柱部材の移動に際し、該支柱部材先端の回転体に接して、該回転体を回転させる回転体用軌道と、蓋体が開成されたときに支柱部材先端の回転体を移動させて規制部材に接触させる回転体移動手段とを備えている。
【００１３】
この様な構成の本発明によれば、支柱部材は、蓋体に連結され、蓋体の開閉に伴って移動する。この支柱部材の先端には、回転体と規制部材を設けている。この支柱部材の先端を案内軌道に沿って案内し、回転体を回転体用軌道に接触させ回転させる。ここで、蓋体が閉じられるときには、支柱部材が移動し、支柱部材の先端が案内軌道に沿って案内され、回転体が回転体用軌道に接触し回転する。そして、支柱部材の移動方向と反対方向に回転体が移動し、回転体に規制部材が接触し、規制部材により回転体の回転が規制される。回転体の回転が規制されると、支柱部材の移動が規制され、蓋体の移動が抑えられる。また、蓋体が開成されたときにも、回転体移動手段により支柱部材先端の回転体が移動されて規制部材に接触させられるので、支柱部材の移動が規制される。このときの支柱部材の移動の規制により、開成された蓋体が支持される。更に、回転体移動手段により回転体が規制部材に接触させられ、支柱部材の移動が規制されたときには、蓋体を開成させるのに大きな力が必要となる。このとき、操作者は、蓋体が開成状態であると察知することができ、蓋体を無理に開け過ぎることがなく、蓋体を破損させずに済む。
【００１４】
また、本発明においては、蓋体の開成直前に支柱部材先端を案内する案内軌道の部分が屈曲している。
【００１５】
例えば、案内軌道の部分を斜め方向もしくは水平方向に屈曲させる。また、回転体用軌道も案内軌道と同様の部分で屈曲させる。これにより、支持部材先端及び回転体を案内軌道及び回転体用軌道上で支持することが容易となり、開成された蓋体を容易かつ確実に支持することが可能になる。
【００１６】
更に、本発明においては、回転体移動手段は、蓋体の開成時に回転体が接する回転体用軌道の部分を厚くしてなる。
【００１７】
この様に回転体用軌道の部分を厚くすると、この部分で回転体が移動して規制部材に接触する。
【００１８】
また、本発明においては、回転体及び回転体用軌道は、相互に歯合するピニオンギア及びラックギアである。
【００１９】
この様に回転体及び回転体用軌道としてピニオンギア及びラックギアを採用すれば、回転体用軌道に接する回転体を確実に回転させることができる。
【００２０】
【発明の実施の形態】
以下、本発明の実施形態を添付図面を参照して詳細に説明する。
【００２１】
図１は、本発明の蓋体の支持機構の一実施形態を適用したインクジェット複写装置を示す図である。このインクジェット複写装置では、スキャナーユニットを蓋体１１に一体化し、蓋体１１を本体筐体１２の背面側の枢支軸１３により開閉自在に枢支している。
【００２２】
本実施形態の支持機構２１は、インクジェット複写装置の蓋体１１の開閉動作を補助するためのものであり、蓋体１１に対して枢支された支柱２２と、本体筐体１２側に設けられたラックガイド２３とを備えている。蓋体１１の閉成時には、図２に示す様に支柱２２がラックガイド２３内に押し込まれて収容される。また、蓋体１１の開閉途中では、図１に示す様に支柱２２の先端がラックガイド２３により移動可能に支持される。更に、蓋体１１の開成時には、図３に示す様に支柱２２の先端がラックガイド２３により固定支持されて、蓋体１１の開成状態が維持される。
【００２３】
ラックガイド２３は、図４に示す様に一対の側板２４、及び各側板２４間に介在する背面板２５を有している。各側板２４の内壁には、コの字型の断面形状を有するガイド溝２６が上下方向に長く形成されている。各ガイド溝２６の上側の屈曲部２６ａは、本体筐体１２の背面側に屈曲している。背面板２５には、各側板２４のガイド溝２６に沿う様にラックギア２８及び摩擦回転体案内面２９が形成されている。
【００２４】
支柱２２は、図５（ａ）及び（ｂ）に示す様に上端の軸受け部３１、及び先端の支持部３２を有している。軸受け部３１は、蓋体１１の支軸１１ａ（図１に示す）に嵌合され、支柱２２を蓋体１１に対して枢支する。支持部３２では、一対の支持片３３に長孔３３ａを形成して、各支持片３３の長孔３３ａに支軸３４を通し、この支軸３４によりピニオンギア３５及び摩擦回転体３６を回転自在に支持し、また支軸３７を各支持片３３間に支持して、この支軸３７により回転規制ギア３８を回転自在に支持し、この支軸３７にコイルバネ３９を通して、このコイルバネ３９により回転規制ギア３８を一方の支持片３３の内壁に押し付けている。
【００２５】
図６に示す様に支軸３４の両端は、各支持片３３の外側に突出しており、ラックガイド２３の各側板２４のガイド溝２６に差し込まれて移動可能に支持される。そして、ピニオンギア３５がラックガイド２３のラックギア２８に歯合し、摩擦回転体３６がラックガイド２３の摩擦回転体案内面２９に圧接される。摩擦回転体３６は、摩擦回転体案内面２９との間に十分な摩擦が生じる様に多孔質弾性体やフェルト材等からなる。
【００２６】
支軸３４は、各支持片３３の長孔３３ａに沿って僅かに上下移動可能である。この支軸３４が下方に移動したときには、ピニオンギア３５も下方に移動して、ピニオンギア３５が回転規制ギア３８から離間する。また、この支軸３４が上方向に移動したときには、ピニオンギア３５も上方に移動して、ピニオンギア３５が回転規制ギア３８に接近して歯合する。
【００２７】
ここで、コイルバネ３９により回転規制ギア３８が一方の支持片３３の内壁に押し付けられていることから、回転規制ギア３８と該支持片３３の内壁間に摩擦が生じ、回転規制ギア３８の回転動作が抑えられている。この回転規制ギア３８にピニオンギア３５が歯合しているときには、ピニオンギア３５の回転動作も抑えられる。
【００２８】
従って、ピニオンギア３５が下方に移動したときには、ピニオンギア３５の回転が格別に規制されず、またピニオンギア３５が上方に移動したときには、ピニオンギア３５の回転動作が回転規制ギア３８により抑えられる。
【００２９】
さて、蓋体１１が操作者により開かれる途中では、図７（ａ）及び（ｂ）に示す様に蓋体１１に連結された支柱２２が上昇して行く。このとき、支軸３４の両端がラックガイド２３の各側板２４のガイド溝２６により案内されつつ、ピニオンギア３５がラックガイド２３のラックギア２８に歯合して回転し、摩擦回転体３６がラックガイド２３の摩擦回転体案内面２９に圧接して回転する。そして、ピニオンギア３５及び摩擦回転体３６は、ラックギア２８及び摩擦回転体案内面２９との間の抵抗を受けて、支柱２２の移動方向とは逆の下方に引っ張られる。これにより、支軸３４が各支持片３３の長孔３３ａに沿って下方に移動し、ラックギア２８及び摩擦回転体案内面２９も下方に移動し、ピニオンギア３５が回転規制ギア３８から離間する。この状態では、ピニオンギア３５の回転が格別に規制されない。このため、蓋体１１を滑らかに開くことができる。
【００３０】
引き続いて、蓋体１１が開かれて行くと、支軸３４の両端がラックガイド２３の各ガイド溝２６の屈曲部２６ａを超えてそれらの傾斜部分に至る。同様に、図８（ａ）及び（ｂ）に示す様にピニオンギア３５及び摩擦回転体３６がラックギア２８及び摩擦回転体案内面２９の屈曲部を超えてそれらの傾斜部分に至る。このときにも、ピニオンギア３５が回転規制ギア３８から離間しており、ピニオンギア３５の回転が格別に規制されず、蓋体１１を滑らかに開くことができる。
【００３１】
次に、蓋体１１が開成される直前には、図９（ａ）及び（ｂ）に示す様にピニオンギア３５がラックギア２８の各歯間に形成された肉盛り部２８ａを乗り越える。このとき、ラックギア２８の肉盛り部２８ａによりピニオンギア３５が押し上げられて上方に移動し、ピニオンギア３５が回転規制ギア３８に接近して歯合し、ピニオンギア３５の回転動作が回転規制ギア３８により抑えられる。勿論、摩擦回転体３６も上方に移動し、支軸３４が各支持片３３の長孔３３ａに沿って上方に移動する。
【００３２】
そして、ピニオンギア３５がラックギア２８の肉盛り部２８ａを乗り越えた直後に、蓋体１１を離すと、回転規制ギア３８がピニオンギア３５に押し付けられて、ピニオンギア３５と回転規制ギア３８の歯合した状態が維持され、ピニオンギア３５の回転動作が回転規制ギア３８により抑えられて、ピニオンギア３５の回転を伴う支柱２２の上下移動が抑えられる。このため、蓋体１１から手を離しても、支柱２２が下方に移動せず、蓋体１１の開成状態が保持される。
【００３３】
また、支柱２２が下方に移動するには、ピニオンギア３５がラックギア２８の肉盛り部２８ａを再び乗り越えて行かねばならない。これによっても、ピニオンギア３５の回転動作が抑えられて、支柱２２が下方に移動しない。このため、蓋体１１の開成状態が安定かつ確実に保持される。
【００３４】
一方、ピニオンギア３５がラックギア２８の肉盛り部２８ａを乗り越えるときには、ピニオンギア３５の回転動作が抑えられ、支柱２２の上下移動が抑制されることから、蓋体１１を持ち上げるための操作感覚が変化する。このため、操作者は、蓋体１１が最大開放位置に近づいたことを察知することができ、蓋体１１を無理に開け過ぎることがなく、蓋体１１を破損させずに済む。
【００３５】
尚、ピニオンギア３５がラックギア２８の肉盛り部２８ａにより押し上げられる方向は、ピニオンギア３５の進行方向とラックギア２８に対する垂直方向を合成した方向となる。このため、ラックギア２８の屈曲角度を４５度に設定するのが好ましい。この場合は、ピニオンギア３５の進行方向とラックギア２８に対する垂直方向を合成した方向が略上方向となるので、ピニオンギア３５が該上方向の回転規制ギア３８に速やかに接近して歯合する。
【００３６】
仮に、ラックギア２８の屈曲角度を９０度に設定した場合は、ピニオンギア３５の進行方向とラックギア２８に対する垂直方向を合成した方向が４５度の斜め上方向になるので、ピニオンギア３５が上方向の回転規制ギア３８に接近し難くなる。
【００３７】
次に、蓋体１１が操作者により押し下げられると、支柱２２が下降し、ピニオンギア３５がラックギア２８の肉盛り部２８ａを再び乗り越えて戻る。そして、図１０（ａ）及び（ｂ）に示す様にピニオンギア３５がラックガイド２３のラックギア２８に歯合して回転し、また摩擦回転体３６がラックガイド２３の摩擦回転体案内面２９に圧接して回転する。このとき、ピニオンギア３５及び摩擦回転体３６は、ラックギア２８及び摩擦回転体案内面２９との間の抵抗を受けて、支柱２２の移動方向とは逆の上方に引っ張られる。これにより、支軸３４が各支持片３３の長孔３３ａに沿って上方に移動し、ピニオンギア３５及び摩擦回転体３６も上方に移動し、ピニオンギア３５が回転規制ギア３８に接近して歯合する。この状態では、ピニオンギア３５の回転が回転規制ギア３８により抑えられ、ピニオンギア３５の回転を伴う支柱２２の上下移動が抑えられる。このため、任意の開放角度のときに蓋体１１から手を離しても、支柱２２が下方に移動せず、該任意の開放角度で蓋体１１の開かれた状態が維持される。また、蓋体１１が押し下げられ続けると、ピニオンギア３５の回転が抑えられ、支柱２２の下方への移動が抑えられながらも、蓋体１１が閉成される。
【００３８】
尚、蓋体１１を開く途中で、蓋体１１から手を離したときにも、支柱２２が下降して、支軸３４が各支持片３３の長孔３３ａに沿って上方に移動し、ピニオンギア３５が回転規制ギア３８に接近して歯合するので、ピニオンギア３５の回転を伴う支柱２２の上下移動が抑えられ、蓋体１１の開かれた状態が維持される。
【００３９】
図１１（ａ）、（ｂ）、及び（ｃ）は、蓋体１１の開成に際し、支柱２２の支軸３４がラックガイド２３のガイド溝２６により案内される過程を示している。
【００４０】
蓋体１１が閉じられているときには、図１１（ａ）に示す様に支柱２２がラックガイド２３内に押し込まれて収容され、支軸３４がガイド溝２６の下端近傍にある。蓋体１１が開かれて行くと、図１１（ｂ）に示す様に支柱２２がラックガイド２３から引き出され、支軸３４がガイド溝２６に沿って上昇して行く。蓋体１１が開成されたときには、図１１（ｃ）に示す様に支軸３４がガイド溝２６の上端まで上昇する。
【００４１】
ここでは、ガイド溝２６の屈曲部２６ａを蓋体１１の枢支軸１３側に屈曲させている。このため、蓋体１１の開成時には、支柱２２の支軸３４の下端がガイド溝２６に沿って枢支軸１３側に移動し、支柱２２が略垂直に立つ。これにより、開成時の蓋体１１の開放角度α（図１に示す）を大きくすることができる。
【００４２】
仮に、ガイド溝２６が垂直方向に直線状に延びていたならば、蓋体１１が開かれて行くに伴い、支柱２２の上端が上方向だけではなく枢支軸１３側にも移動するのに対して、支柱２２の下端が上方向だけに移動することから、支柱２２が傾斜してしまい、開成時の蓋体１１の開放角度αが小さくなる。
【００４３】
図１２（ａ）、（ｂ）、（ｃ）、及び（ｄ）は、蓋体１１の閉成に際し、支柱２２の支軸３４がラックガイド２３のガイド溝２６により案内される過程を示している。
【００４４】
図１２（ａ）に示す様に蓋体１１が押し下げられると、図１２（ｂ）及び（ｃ）に示す様に支軸３４がガイド溝２６に沿って下降して行く。蓋体１１が閉成されたときには、図１２（ｄ）に示す様に支軸３４がガイド溝２６の下端近傍まで下降する。
【００４５】
尚、本実施形態では、蓋体１１の開閉途中で、蓋体１１から手を離すと、蓋体１１の開かれた状態が維持されるが、ピニオンギア３５がより回転し易くなる様に回転規制ギア３８と支柱２２の支持片３３間の摩擦力を適宜に弱めれば、蓋体１１から手を離したときに、蓋体１１の重みによりピニオンギア３５が徐々に回転して、支柱２２が下降し、蓋体１１が徐々に閉じる。この場合は、ピニオンギア３５とラックギア２８間の抵抗が弱まるものの、摩擦回転体３６と摩擦回転体案内面２９間の抵抗が維持されるので、この抵抗によりピニオンギア３５が支柱２２の移動方向とは逆の上方に引っ張られ、ピニオンギア３５が回転規制ギア３８に接近して歯合した状態を維持することができる。
【００４６】
また、ピニオンギア３５とラックギア２８の代わりに、摩擦係数が大きな回転体と、この回転体が接触して回転する案内面を適用しても構わない。
【００４７】
【発明の効果】
以上説明した様に本発明によれば、蓋体が閉じられるときには、回転体に規制部材が接触し、規制部材により回転体の回転が規制され、蓋体の移動が抑えられる。また、蓋体が開成されたときにも、回転体移動手段により支柱部材先端の回転体が移動されて規制部材に接触させられ、支柱部材の移動が規制され、開成された蓋体が支持される。更に、回転体移動手段により回転体が規制部材に接触させられたときには、蓋体を開成させるのに大きな力が必要となる。このため、操作者は、蓋体が開成状態であると察知することができ、蓋体を無理に開け過ぎることがなく、蓋体を破損させずに済む。
【００４８】
また、案内軌道の部分を斜め方向もしくは水平方向に屈曲させているので、支持部材先端及び回転体を案内軌道及び回転体用軌道上で支持することが容易となり、開成された蓋体を容易かつ確実に支持することが可能になる。更に、回転体用軌道の部分を厚くして、この部分で回転体を移動させて規制部材に接触させているので、回転体用軌道の形状の設定だけで、回転体移動手段を実現することができる。
【図面の簡単な説明】
【図１】本発明の蓋体の支持機構の一実施形態を適用したインクジェット複写装置を示す図である。
【図２】図１の蓋体を閉成した状態を示す図である。
【図３】図１の蓋体を開成した状態を示す図である。
【図４】図１の支持機構のラックガイドを示す斜視図である。
【図５】（ａ）及び（ｂ）は、図１の支持機構の支柱を示す側面図及び正面図である。
【図６】図４のラックガイド部分及び図５の支柱先端を拡大して示す斜視図である。
【図７】（ａ）及び（ｂ）は、蓋体が開かれる途中での図５の支柱先端の状態を示す側面図及び正面図である。
【図８】（ａ）及び（ｂ）は、蓋体が更に開かれたときの図５の支柱先端の状態を示す側面図及び正面図である。
【図９】（ａ）及び（ｂ）は、蓋体の開成直前での図５の支柱先端の状態を示す側面図及び正面図である。
【図１０】（ａ）及び（ｂ）は、蓋体が閉じられる途中での図５の支柱先端の状態を示す側面図及び正面図である。
【図１１】（ａ）、（ｂ）、及び（ｃ）は、蓋体の開成に際し、支柱の支軸がラックガイドのガイド溝により案内される過程を示す図である。
【図１２】（ａ）、（ｂ）、（ｃ）、及び（ｄ）は、蓋体の閉成に際し、支柱の支軸がラックガイドのガイド溝により案内される過程を示す図である。
【図１３】（ａ）、（ｂ）、（ｃ）、及び（ｄ）は、従来の蓋体の開閉過程を示す図である。
【図１４】従来の他の蓋体を示す斜視図である。
【符号の説明】
１１　　蓋体
１２　　本体筐体
１３　　枢支軸
２１　　支持機構
２２　　支柱
２３　　ラックガイド
２６　　ガイド溝
２８　　ラックギア
２９　　摩擦回転体案内面
３１　　軸受け部
３２　　支持部
３３　　支持片
３４　　支軸
３５　　ピニオンギア
３６　　摩擦回転体
３８　　回転規制ギア
３９　　コイルバネ
【図１】
2004053667.tif 000003
【図２】
2004053667.tif 000004
【図３】
2004053667.tif 000005
【図４】
2004053667.tif 000006
【図５】
2004053667.tif 000007
【図６】
2004053667.tif 000008
【図７】
2004053667.tif 000009
【図８】
2004053667.tif 000010
【図９】
2004053667.tif 000011
【図１０】
2004053667.tif 000012
【図１１】
2004053667.tif 000013
【図１２】
2004053667.tif 000014
【図１３】
2004053667.tif 000015
【図１４】
2004053667.tif 000016